(57)【要約】【課題】外部ユニットに適切に取り付けることができ、かつ、耐振性の高い電動ポンプを提供する。【解決手段】電動ベーンポンプ１００は、回転軸４の一端側に設けられるモータ機構１と、回転軸４の他端側に設けられるポンプ機構３０と、モータ機構１とポンプ機構３０とを収容する単一のハウジング３と、を備え、単一のハウジング３には、外部ユニット１９０に取り付けられる複数の取付ボス１３０が回転軸４の軸方向に離間して設けられる。【選択図】図１
2019044677.tif 000002
【特許請求の範囲】
【請求項１】
回転軸の一端側に設けられるモータ機構と、
前記回転軸の他端側に設けられるポンプ機構と、
前記モータ機構と前記ポンプ機構とを収容する単一のハウジングと、を備え、
前記単一のハウジングには、外部ユニットに取り付けられる複数の取付部が前記回転軸の軸方向に離間して設けられる
ことを特徴とする電動ポンプ。
【請求項２】
請求項１に記載の電動ポンプにおいて、
前記ハウジングは、
前記モータ機構を収容するモータ収容部と、
前記ポンプ機構を収容するポンプ収容部と、を有し、
前記複数の取付部は、
前記モータ収容部に設けられるモータ側取付部と、
前記ポンプ収容部に設けられるポンプ側取付部と、を有する
ことを特徴とする電動ポンプ。
【請求項３】
請求項２に記載の電動ポンプにおいて、
前記モータ側取付部及び前記ポンプ側取付部は、それぞれ前記モータ機構のロータの軸方向外側に配置される
ことを特徴とする電動ポンプ。
【請求項４】
請求項１から請求項３までのいずれか一項に記載の電動ポンプにおいて、
前記複数の取付部は、互いに平行に配置されるボルトにより前記外部ユニットに取り付けられる
ことを特徴とする電動ポンプ。
【請求項５】
請求項４に記載の電動ポンプにおいて、
前記ハウジングには、吸込ポート及び吐出ポートが設けられ、
前記外部ユニットに対する前記取付部の取付面は、前記外部ユニットに対する前記吸込ポート及び前記吐出ポートの少なくとも一方の取付面と平行となるように設けられる
ことを特徴とする電動ポンプ。
【請求項６】
請求項５に記載の電動ポンプにおいて、
前記外部ユニットに対する前記取付部の取付面は、前記外部ユニットに対する前記吸込ポート及び前記吐出ポートの少なくとも一方の取付面と面一となるように設けられる
ことを特徴とする電動ポンプ。
【発明の詳細な説明】
【技術分野】
【０００１】
本発明は、電動ポンプに関する。
【背景技術】
【０００２】
特許文献１には、電動モータの動力にて駆動される電動ベーンポンプが開示されている。特許文献１に記載の電動ベーンポンプでは、モータハウジングとポンプハウジングとがボルトによって締結される。
【先行技術文献】
【特許文献】
【０００３】
【特許文献１】特開２０１６−５０５７４号公報
【発明の概要】
【発明が解決しようとする課題】
【０００４】
電動ベーンポンプには、外部ユニットに取り付けるための複数の取付部が設けられる。しかしながら、モータハウジングとポンプハウジングのそれぞれに取付部を設ける場合、両ハウジング間の組付誤差が大きいと、取付部の位置合わせ面がずれ、電動ベーンポンプを適切に外部ユニットに取り付けることができないおそれがある。
【０００５】
一方、モータハウジング及びポンプハウジングのいずれかにのみ、複数の取付部を設ける場合、モータシャフトの軸方向における取付部間の距離を十分に確保することができず、耐振性が低下してしまうという問題が生じる。
【０００６】
本発明は、上記の問題点に鑑みてなされたものであり、外部ユニットに適切に取り付けることができ、かつ、耐振性の高い電動ポンプを提供することを目的とする。
【課題を解決するための手段】
【０００７】
第１の発明は、モータ機構と、ポンプ機構と、モータ機構とポンプ機構とを収容する単一のハウジングと、を備え、単一のハウジングには、外部ユニットに取り付けられる複数の取付部が回転軸の軸方向に離間して設けられることを特徴とする電動ポンプである。
【０００８】
第１の発明では、モータ機構とポンプ機構とを収容する単一のハウジングに複数の取付部を設けたので、各取付部の位置が精度よく設定され、かつ、回転軸の軸方向における取付部間の距離が十分に確保される。
【０００９】
第２の発明は、ハウジングが、モータ機構を収容するモータ収容部と、ポンプ機構を収容するポンプ収容部と、を有し、複数の取付部が、モータ収容部に設けられるモータ側取付部と、ポンプ収容部に設けられるポンプ側取付部と、を有することを特徴とする。
【００１０】
第３の発明は、モータ側取付部及びポンプ側取付部が、それぞれモータ機構のロータの軸方向外側に配置されることを特徴とする。
【００１１】
第２及び第３の発明では、モータ側取付部とポンプ側取付部との間の距離が十分に確保される。
【００１２】
第４の発明は、複数の取付部が、互いに平行に配置されるボルトにより外部ユニットに取り付けられることを特徴とする。
【００１３】
第４の発明では、複数の取付部において、一方向からボルトを取り付けることができるので、外部ユニットに対する電動ポンプの取付作業性を向上できる。
【００１４】
第５の発明は、ハウジングには、吸込ポート及び吐出ポートが設けられ、外部ユニットに対する取付部の取付面が、外部ユニットに対する吸込ポート及び吐出ポートの少なくとも一方の取付面と平行となるように設けられることを特徴とする。
【００１５】
第５の発明では、取付部を外部ユニットに取り付けることにより、外部ユニットに対するハウジングの固定と、外部ユニットの油路とハウジングのポートとの接続と、を同時に行うことができる。このため、外部ユニットに対する電動ポンプの取付作業性を向上できる。
【００１６】
第６の発明は、外部ユニットに対する取付部の取付面が、外部ユニットに対する吸込ポート及び吐出ポートの少なくとも一方の取付面と面一となるように設けられることを特徴とする。
【００１７】
第６の発明では、外部ユニットの油路とハウジングのポートとを精度よく接続することができるので、外部ユニットとハウジングとの間のシール性を向上できる。
【発明の効果】
【００１８】
本発明によれば、外部ユニットに適切に取り付けることができ、かつ、耐振性の高い電動ポンプを提供することができる。
【図面の簡単な説明】
【００１９】
【図１】本発明の実施形態に係る電動ベーンポンプの断面図である。
【図２】本発明の実施形態に係る電動ベーンポンプの側面図であり、一部を破断してポンプの内部構造について示す。
【図３Ａ】本実施形態の比較例に係る電動ベーンポンプを示す図である。
【図３Ｂ】本実施形態の別の比較例に係る電動ベーンポンプを示す図である。
【図４】本実施形態の変形例１に係る電動ベーンポンプの取付ボス及びポートの断面模式図である。
【図５Ａ】本実施形態の変形例２−１に係る電動ベーンポンプの断面模式図である。
【図５Ｂ】本実施形態の変形例２−２に係る電動ベーンポンプの断面模式図である。
【図６】本実施形態の変形例２−３に係る電動ベーンポンプの断面模式図である。
【図７】本実施形態の変形例３に係る電動ベーンポンプの断面模式図である。
【発明を実施するための形態】
【００２０】
図面を参照して、本発明の実施形態に係る電動ポンプの一例である電動ベーンポンプ１００について説明する。
【００２１】
電動ベーンポンプ１００は、例えば、車両に搭載される無段変速機、パワーステアリング装置等の油圧機器に作動油（作動流体）を供給する油圧供給源として用いられる。
【００２２】
図１に示すように、電動ベーンポンプ１００は、回転軸４と、回転軸４の一端側（図示上側）に設けられるモータ機構１と、回転軸の他端側（図示下側）に設けられるポンプ機構３０と、モータ機構１とポンプ機構３０とを収容する有底筒状のハウジング３と、ハウジング３の開口部を閉塞するカバー７と、を備える。電動ベーンポンプ１００は、モータ機構１の動力にてポンプ機構３０が駆動され、油圧機器（不図示）に作動油を供給する。
【００２３】
モータ機構１は、回転軸４に固定されるモータロータ５と、ハウジング３の内周に固定されるステータ６と、を備える。モータロータ５は、円筒状のロータコアと、複数の永久磁石（不図示）と、を有する。ロータコアには、複数の永久磁石（不図示）が周方向に沿って等間隔に配設される。ステータ６は、円筒状のステータコアと、ステータコアに装着される巻線と、を有する。モータロータ５とステータ６は、同心円状に配置され、両者の間には僅かな隙間が存在する。
【００２４】
ハウジング３とカバー７は、カバー７に形成された環状のインロー部４ｃがハウジング３の内周面に嵌合することによって一体に組み付けられる。つまり、ハウジング３とカバー７は、モータ機構１及びポンプ機構３０の構成部品を収容する収容空間を形成するケーシングとしての機能を有する。
【００２５】
電動ベーンポンプ１００は、ハウジング３の内部にポンプ機構３０を構成する部品、及び、モータ機構１を構成する部品が積層するように配置される。積層配置された各部品は、カバー７がハウジング３の開口部に取り付けられることにより、ハウジング３の底部に設けられる段部とカバー７との間で挟持される。
【００２６】
ポンプ機構３０は、回転軸４に連結されたポンプロータ３１と、ポンプロータ３１に対して径方向に往復動自在に設けられた複数のベーン３２と、ポンプロータ３１を収容すると共にポンプロータ３１の回転に伴って内周のカム面にベーン３２の先端部が摺接するカムリング３３と、ポンプカバー８と、プレート部材３７と、を備える。
【００２７】
ポンプカバー８は、略円板状の部材であり、ハウジング３とカバー７とにより形成される収容空間をモータ収容空間Ｓ１とポンプ収容空間Ｓ２とに区画する仕切板としての機能を有する。ポンプカバー８には、回転軸４が貫通する貫通孔が設けられる。本明細書では、ハウジング３において、モータ収容空間Ｓ１を形成する外郭をモータ収容部３ａとし、ポンプ収容空間Ｓ２を形成する外郭をポンプ収容部３ｂとする。
【００２８】
回転軸４は、カバー７及びポンプカバー８のそれぞれに設けられた軸受２ａ，２ｂにより回転自在に支持される。軸受２ａはカバー７に設けられた円形状の凹部に固定され、軸受２ｂはポンプカバー８に設けられた円形状の凹部に固定される。カバー７及びポンプカバー８はハウジング３により支持されているので、回転軸４はハウジング３により間接的に支持される。
【００２９】
カムリング３３の内側には、ポンプロータ３１の外周面、カムリング３３のカム面、及び周方向に隣り合うベーン３２によって複数のポンプ室３４が区画される。
【００３０】
カムリング３３は、カム面が略楕円形状をした環状の部材である。カムリング３３のカム面は、ポンプロータ３１の回転に伴ってポンプ室３４の容積を拡張する２つの吸込領域と、ポンプロータ３１の回転に伴ってポンプ室３４の容積を収縮する２つの吐出領域と、を有する。
【００３１】
ポンプロータ３１及びカムリング３３の一側面には円板状のポンプカバー（第１のサイドプレート）８が当接して配置され、他側面には円板状のプレート部材（第２のサイドプレート）３７が当接して配置される。このように、ポンプカバー８とプレート部材３７は、ポンプロータ３１及びカムリング３３の両側面を挟んだ状態で配置され、ポンプ室３４を区画する。
【００３２】
カムリング３３、ポンプカバー８及びプレート部材３７は、２つの位置決めピン（不図示）によって、相対回転が規制される。また、カムリング３３、ポンプカバー８及びプレート部材３７は、ハウジング３に対して回転しないように固定される（不図示）。
【００３３】
ポンプカバー８には、２つの吸込開口部（不図示）が円弧状に切り欠いて形成される。２つの吸込開口部（不図示）は、カムリング３３の２つの吸込領域に対応して開口し、ポンプ室３４に作動油を導く。
【００３４】
同様に、プレート部材３７には、２つの吸込開口部（不図示）が円弧状に切り欠いて形成される。２つの吸込開口部（不図示）は、カムリング３３の２つの吸込領域に対応して開口し、ポンプ室３４に作動油を導く。
【００３５】
プレート部材３７には、２つの吐出開口部６１（図２参照）が貫通して形成される。２つの吐出開口部６１（図２参照）は、カムリング３３の吐出領域に対応して開口し、ポンプ室３４の作動油を吐出する。
【００３６】
ポンプ収容空間Ｓ２は、低圧室（吸込空間）Ｓ２１と高圧室（吐出空間）Ｓ２２とを有する。低圧室Ｓ２１は、カムリング３３の外周に沿って形成されるドーナツ状の空間であり、ポンプカバー８、ポンプ収容部３ｂ、カムリング３３及びプレート部材３７により画成される。
【００３７】
低圧室Ｓ２１は、ポンプカバー８及びプレート部材３７の吸込開口部（不図示）に連通すると共に、吸込ポート９１に連通する。図２に示すように、吸込ポート９１は、ポンプ収容部３ｂに設けられる貫通孔であり、外部ユニット１９０の吸込油路１９１に連通する。吸込ポート９１の開口周縁部は、外部ユニット１９０の載置面１９５に当接する取付面９０ａである。吸込ポート９１の取付面９０ａと外部ユニット１９０の載置面１９５との間にはシール部材（不図示）が設けられる。外部ユニット１９０の吸込油路１９１は、作動油が貯留される油タンク（不図示）に配管、バルブ等を介して接続される。
【００３８】
図１に示すように、高圧室Ｓ２２は、プレート部材３７とハウジング３の底部との間に形成される円錐台形状の空間であり、プレート部材３７とポンプ収容部３ｂとにより画成される。
【００３９】
高圧室Ｓ２２は、プレート部材３７の吐出開口部６１（図２参照）に連通すると共に、吐出ポート９２に連通する。吐出ポート９２は、ポンプ収容部３ｂに設けられる貫通孔であり、外部ユニット１９０の吐出油路（不図示）に連通する。吐出ポート９２の開口周縁部は、外部ユニット１９０の載置面１９５に当接する取付面である。吐出ポート９２の取付面と外部ユニット１９０の載置面１９５との間にはシール部材（不図示）が設けられる。外部ユニット１９０の吐出油路（不図示）は、油圧機器（不図示）に配管、バルブ等を介して接続される。
【００４０】
以上のとおり、モータ機構１を構成するモータロータ５及びステータ６等は、カバー７とモータ収容部３ａとポンプカバー８の端面（図示上端面）とによって画成されるモータ収容空間Ｓ１に収容される。ポンプ機構３０を構成するポンプロータ３１、カムリング３３及びプレート部材３７、ポンプカバー８等は、ポンプ収容部３ｂの内周面とポンプカバー８の端面（図示上端面）とによって画成されるポンプ収容空間Ｓ２に収容される。
【００４１】
このように構成された電動ベーンポンプ１００では、モータ機構１の駆動により回転軸４が回転すると、回転軸４に連結されたポンプロータ３１が回転する。これにより、外部ユニット１９０の吸込油路１９１から吸込ポート９１、低圧室Ｓ２１を通じてカムリング３３の内側の各ポンプ室３４に作動油が供給される。各ポンプ室３４から排出された作動油は、高圧室Ｓ２２、吐出ポート９２を通じて外部ユニット１９０の吐出油路（不図示）に吐出される。このように、カムリング３３内の各ポンプ室３４は、ポンプロータ３１の回転に伴う拡縮によって作動油を給排する。
【００４２】
電動ベーンポンプ１００は、複数のボルト１１０によって外部ユニット１９０に締結される。ハウジング３には、４つの取付ボス１３０が設けられる。取付ボス１３０は、ボルト１１０が挿通される円形の貫通孔１３１が設けられ、略円筒形状を呈する。図２に示すように、取付ボス１３０の取付面（底面）１３０ａは、平面状に形成され、外部ユニット１９０の載置面１９５に当接する。
【００４３】
図１及び図２に示すように、取付ボス１３０の貫通孔１３１は、回転軸４と直交するように設けられる。４つの取付ボス１３０に取り付けられるボルト１１０は、互いに平行に配置される。全ての取付ボス１３０において、一方向からボルト１１０を取り付けることができるので、外部ユニット１９０に対する電動ベーンポンプ１００の取付作業性を向上できる。
【００４４】
以下、４つの取付ボス１３０のうち、モータ収容部３ａに設けられる一対の取付ボス１３０をモータ側ボス１３０ｍとも記す。また、ポンプ収容部３ｂに設けられる一対の取付ボス１３０をポンプ側ボス１３０ｐとも記す。
【００４５】
モータ側ボス１３０ｍとポンプ側ボス１３０ｐとは、回転軸４の軸方向に離間して設けられる。本実施形態では、図１に示すように、モータ側ボス１３０ｍがモータロータ５及びステータ６の径方向外方に位置し、ポンプ側ボス１３０ｐが高圧室Ｓ２２の径方向外方に位置している。モータ側ボス１３０ｍとポンプ側ボス１３０ｐとの間の回転軸４の軸方向距離であるボルト間ピッチＰは、電動ベーンポンプ１００の全長の半分の長さよりも大きい。
【００４６】
外部ユニット１９０には、４つのねじ孔１９３が設けられる。ねじ孔１９３にはめねじが形成される。図２に示すように、ボルト１１０の軸部１１０ａの先端部には、ねじ孔１９３のめねじに螺合するおねじが形成される。ボルト１１０の軸部１１０ａが取付ボス１３０の貫通孔１３１を貫通し、ボルト１１０のおねじがねじ孔１９３のめねじに螺合することにより、取付ボス１３０が外部ユニット１９０に取り付けられる。
【００４７】
このように、本実施形態では、単一の部材である有底筒状のハウジング３に４つの取付ボス１３０が設けられている。
【００４８】
図３Ａ及び図３Ｂは、本実施形態の比較例に係る電動ベーンポンプ９００を示す図である。図３Ａ及び図３Ｂに示すように、電動ベーンポンプ９００は、モータ機構を収容するモータハウジング９０３Ａと、ポンプ機構を収容するポンプハウジング９０３Ｂと、が別部材であり、両ハウジングがボルト９９０により締結される。
【００４９】
図３Ａに示す比較例では、モータハウジング９０３Ａ及びポンプハウジング９０３Ｂのそれぞれに外部ユニット１９０に取り付けるための取付ボス９３０が設けられる。ボルト９９０は、モータハウジング９０３Ａとポンプハウジング９０３Ｂとを締結するために、回転軸の軸方向に軸力を発生させる。
【００５０】
図３Ａに示す比較例では、モータハウジング９０３Ａとポンプハウジング９０３Ｂとがボルト９９０により締結されるため、両ハウジングの締結に伴う組付誤差が、モータ側ボス９３０ｍとポンプ側ボス９３０ｐとの相対位置に影響を及ぼすおそれがある。
【００５１】
例えば、モータハウジング９０３Ａとポンプハウジング９０３Ｂとが周方向に僅かに位置ずれして組み付けられている場合、モータ側ボス９３０ｍの取付面（底面）に対し、ポンプ側ボス９３０ｐの取付面（底面）が傾くことになる。このため、外部ユニット１９０に電動ベーンポンプ９００を組み付けたときに、モータハウジング９０３Ａ及びポンプハウジング９０３Ｂのそれぞれに組付誤差に起因した荷重が作用してしまうおそれがある。したがって、モータ側ボス９３０ｍの取付面とポンプ側ボス９３０ｐの取付面との間で位置ずれが発生した場合に、モータハウジング９０３Ａとポンプハウジング９０３Ｂとの組立作業をやり直す必要が生じる。
【００５２】
このような問題を解決するために、モータハウジング９０３Ａ及びポンプハウジング９０３Ｂの一方にのみ、複数の取付ボス９３０を設けることが考えられる。仮に、モータハウジング９０３Ａに４つの取付ボス９３０を設ける。
【００５３】
しかしながら、この場合、ポンプハウジング９０３Ｂ内に高圧が作用することにより、ポンプハウジング９０３Ｂが僅かに浮き上がってしまうことがある。その結果、ポンプハウジング９０３Ｂのポートと、外部ユニット１９０の油路との間のシール性が不安定となり、油漏れが生じるおそれがある。
【００５４】
そこで、図３Ｂに示すように、吸込ポート及び吐出ポートが設けられるポンプハウジング９０３Ｂに、４つの取付ボス９３０を設けることが考えられる。
【００５５】
しかしながら、図３Ｂに示す比較例では、回転軸の軸方向の取付ボス間の距離（ボルト間ピッチ）を十分に確保できないという問題が生じる。図３Ｂに示す比較例では、ポンプハウジング９０３Ｂのみが外部ユニット１９０に固定されることになる。つまり、取付ボス９３０とモータハウジング９０３Ａの端部（自由端）までの距離が、図３Ａに示す比較例に比べて長くなってしまい、いわゆる片持ち梁のような状態でモータハウジング９０３Ａが支持されることになる。その結果、電動ベーンポンプ９００の耐振性が低下してしまう。
【００５６】
これに対して、本実施形態では、図１及び図２に示すように、モータ機構１とポンプ機構３０とを収容する単一のハウジング３に４つの取付ボス１３０を設けたので、回転軸４の軸方向における取付ボス間の距離、すなわち、モータ側ボス１３０ｍとポンプ側ボス１３０ｐのボルト間ピッチＰを十分に確保することができる。その結果、電動ベーンポンプ１００の耐振性を向上することができる。なお、単一のハウジング３に４つの取付ボス１３０が設けられているので、図３Ａに示す比較例のように、モータハウジング９０３Ａとポンプハウジング９０３Ｂとを締結する構成とすることに起因する不具合が発生することもない。つまり、単一の部材であるハウジング３に全ての取付ボス１３０が設けられているので、各取付ボス１３０の位置を精度よく設定することができ、電動ベーンポンプ１００を適切に外部ユニット１９０に取り付けることができる。
【００５７】
また、本実施形態では、図３Ｂに示すモータハウジング９０３Ａとポンプハウジング９０３Ｂとを接続するボルト９９０が不要であるので、部品点数を低減できる。さらに、本実施形態では、図３Ｂに示す比較例に比べて、取付ボス１３０を配置できる範囲が広く、配置自由度が高い。
【００５８】
図２に示すように、外部ユニット１９０に対する各取付ボス１３０の取付面（底面）１３０ａは、外部ユニット１９０に対する吸込ポート９１及び吐出ポート９２の少なくとも一方の取付面（開口部周縁の平面）９０ａと面一となるように形成される。本実施形態では、外部ユニット１９０に対する吸込ポート９１及び吐出ポート９２の取付面９０ａが、それぞれ面一となるように設定される。つまり、本実施形態では、取付ボス１３０の取付面１３０ａが、吸込ポート９１及び吐出ポート９２の取付面９０ａの双方に面一となるように形成されている。
【００５９】
ポートの取付面９０ａと、取付ボス１３０の取付面１３０ａとが平行に設けられているので、取付ボス１３０を外部ユニット１９０に取り付けることにより、外部ユニット１９０に対するハウジング３の固定と、外部ユニット１９０の油路（吸込油路及び吐出油路）とハウジング３のポート（吸込ポート９１及び吐出ポート９２）との接続と、を同時に行うことができる。このため、外部ユニット１９０に対する電動ベーンポンプ１００の取付作業性を向上できる。
【００６０】
取付ボス１３０の取付面１３０ａとポートの取付面９０ａとが面一に設定されているので、外部ユニット１９０の油路（吸込油路及び吐出油路）とハウジング３のポート（吸込ポート９１及び吐出ポート９２）とを精度よく接続することができる。その結果、外部ユニット１９０とハウジング３との間のシール性を向上できる。
【００６１】
上述した実施形態によれば、次の作用効果を奏する。
【００６２】
モータ機構１とポンプ機構３０とを収容する単一のハウジング３に複数の取付ボス１３０を設けたので、各取付ボス１３０の位置が精度よく設定され、かつ、回転軸４の軸方向における取付ボス間の距離（ボルト間ピッチＰ）が十分に確保される。その結果、電動ベーンポンプ１００を外部ユニット１９０に適切に取り付けることができ、また、電動ベーンポンプ１００の耐振性を向上することができる。
【００６３】
次のような変形例も本発明の範囲内であり、変形例に示す構成と上述の実施形態で説明した構成を組み合わせたり、以下の異なる変形例で説明する構成同士を組み合わせたりすることも可能である。
【００６４】
（変形例１）
上記実施形態では、取付ボス１３０の取付面１３０ａが、吸込ポート９１及び吐出ポート９２の少なくとも一方の取付面９０ａと面一となるように設けられる例について説明したが、本発明はこれに限定されない。図４に示すように、取付ボス１３０の取付面１３０ａは、ポートの取付面９０ａと面一となっていなくてもよい。取付ボス１３０の取付面１３０ａは、吸込ポート９１及び吐出ポート９２の少なくとも一方の取付面９０ａと平行となるように設けることもできる。
【００６５】
これにより、上記実施形態と同様、外部ユニット１９０に対するハウジング３の固定と、外部ユニット１９０の油路とハウジング３のポートとの接続と、を同時に行うことができる。このため、外部ユニット１９０に対する電動ベーンポンプ１００の取付作業性を向上できる。
【００６６】
（変形例２）
取付ボス１３０の形状、位置は、上記実施形態に限定されない。取付ボス１３０は、種々の形状に形成することができ、ハウジング３における種々の位置に設けることができる。
【００６７】
（変形例２−１）
図５Ａに示すように、モータ側ボス１３０ｍ及びポンプ側ボス１３０ｐは、それぞれモータロータ５の軸方向外側に配置してもよい。つまり、モータロータ５が、モータ側ボス１３０ｍとポンプ側ボス１３０ｐとの間に配置される。回転体でありかつ重量物であるモータロータ５の軸方向外側でハウジング３が取付ボス１３０により両持ち支持されるので、上記実施形態よりも効果的に電動ベーンポンプ１００の振動を抑制することができる。
【００６８】
（変形例２−２）
上記実施形態では、一対のモータ側ボス１３０ｍと一対のポンプ側ボス１３０ｐの計４つの取付ボス１３０が設けられる例について説明したが、本発明はこれに限定されない。例えば、図５Ｂに示すように、取付ボス１３０の数は、３つでもよいし、５つ以上であってもよい。少なくとも、３箇所でハウジング３を外部ユニット１９０に固定できればよい。
【００６９】
（変形例２−３）
図６に示すように、ポンプカバー８の径方向外方に取付ボス１３０を設けるようにしてもよい。このような変形例においても、図３Ｂに示す比較例に比べて、回転軸４の軸方向における取付ボス間の距離（ボルト間ピッチＰ）を長く設定することができるので、耐振性を向上できる。
【００７０】
（変形例３）
上記実施形態では、ハウジング３が有底筒状に形成される例について説明したが本発明はこれに限定されない。例えば、図７に示すように、両端が開口する円筒状のハウジング３０３に本発明を適用してもよい。ハウジング３０３の両端の開口部は、一対のエンドブラケット３０７により閉塞される。軸受２ａ，２ｂは、一対のエンドブラケット３０７に固定される。
【００７１】
（変形例４）
上記実施形態では、モータ機構１を構成するステータ６が、直接、ハウジング３の内周に固定される例について説明したが、本発明はこれに限定されない。例えば、ステータ６が圧入、焼き嵌め等により固着される円筒状のモータケースをさらに備えていてもよい。この場合、モータケースがハウジング３、ポンプカバー８等に固定される。
【００７２】
（変形例５）
上記実施形態では、取付ボス１３０の貫通孔１３１にボルト１１０を挿通させ、ボルト１１０のおねじを外部ユニット１９０のねじ孔１９３に螺合することにより、電動ベーンポンプ１００を外部ユニット１９０に締結する例について説明したが、本発明はこれに限定されない。例えば、ボルト１１０に代えて、クランプ等の締結部材を用いて電動ベーンポンプ１００を外部ユニット１９０に締結してもよい。
【００７３】
（変形例６）
上記実施形態では、カバー７に軸受２ａを設ける例について説明したが、本発明はこれに限定されない。ハウジング３に軸受保持部材を固定し、この軸受保持部材に軸受２ａを取り付けてもよい。
【００７４】
（変形例７）
上記実施形態では、吸込油路１９１及び吐出油路（不図示）を備える外部ユニット１９０を例に説明したが、本発明はこれに限定されない。外部ユニット１９０は、吸込油路１９１及び吐出油路（不図示）の一方を備え、他方を備えていなくてもよい。例えば、外部ユニット１９０が吐出油路（不図示）のみを備えている場合、吸込油路１９１を有する配管等が吸込ポート９１に接続される。
【００７５】
（変形例８）
上記実施形態では、無段変速機、パワーステアリング装置等の油圧機器に作動油を供給する電動ベーンポンプ１００を例に説明したが、本発明はこれに限定されない。電動ギヤポンプ等、モータ機構の動力によりポンプ機構が駆動する種々の電動ポンプに本発明を適用することができる。また、作動流体として、作動油に代えて水等の流体を給排する電動ポンプに本発明を適用することもできる。
【００７６】
以下、本発明の実施形態の構成、作用、及び効果をまとめて説明する。
【００７７】
電動ベーンポンプ１００は、回転軸４の一端側に設けられるモータ機構１と、回転軸４の他端側に設けられるポンプ機構３０と、モータ機構１とポンプ機構３０とを収容する単一のハウジング３，３０３と、を備え、単一のハウジング３，３０３には、外部ユニット１９０に取り付けられる複数の取付ボス１３０が回転軸４の軸方向に離間して設けられる。
【００７８】
この構成では、モータ機構１とポンプ機構３０とを収容する単一のハウジング３，３０３に複数の取付ボス１３０を設けたので、各取付ボス１３０の位置が精度よく設定され、かつ、回転軸４の軸方向における取付ボス１３０間の距離が十分に確保される。したがって、電動ベーンポンプ１００を外部ユニット１９０に適切に取り付けることができ、かつ、耐振性を向上することができる。
【００７９】
電動ベーンポンプ１００は、ハウジング３，３０３が、モータ機構１を収容するモータ収容部３ａと、ポンプ機構３０を収容するポンプ収容部３ｂと、を有し、複数の取付ボス１３０が、モータ収容部３ａに設けられるモータ側ボス１３０ｍと、ポンプ収容部３ｂに設けられるポンプ側ボス１３０ｐと、を有する。
【００８０】
電動ベーンポンプ１００は、モータ側ボス１３０ｍ及びポンプ側ボス１３０ｐが、それぞれモータ機構１のモータロータ５の軸方向外側に配置される。
【００８１】
これらの構成では、モータ側ボス１３０ｍとポンプ側ボス１３０ｐとの間の距離が十分に確保される。
【００８２】
電動ベーンポンプ１００は、複数の取付ボス１３０が、互いに平行に配置されるボルト１１０により外部ユニット１９０に取り付けられる。
【００８３】
この構成では、複数の取付ボス１３０において、一方向からボルト１１０を取り付けることができるので、外部ユニット１９０に対する電動ベーンポンプ１００の取付作業性を向上できる。
【００８４】
電動ベーンポンプ１００は、ハウジング３，３０３には、吸込ポート９１及び吐出ポート９２が設けられ、外部ユニット１９０に対する取付ボス１３０の取付面１３０ａが、外部ユニット１９０に対する吸込ポート９１及び吐出ポート９２の少なくとも一方の取付面９０ａと平行となるように設けられる。
【００８５】
この構成では、取付ボス１３０を外部ユニット１９０に取り付けることにより、外部ユニット１９０に対するハウジング３，３０３の固定と、外部ユニット１９０の油路（吸込油路１９１、吐出油路）とハウジング３，３０３のポート（吸込ポート９１、吐出ポート９２）との接続と、を同時に行うことができる。このため、外部ユニット１９０に対する電動ベーンポンプ１００の取付作業性を向上できる。
【００８６】
電動ベーンポンプ１００は、外部ユニット１９０に対する取付ボス１３０の取付面１３０ａが、外部ユニット１９０に対する吸込ポート９１及び吐出ポート９２の少なくとも一方の取付面９０ａと面一となるように設けられる。
【００８７】
この構成では、外部ユニット１９０の油路（吸込油路１９１、吐出油路）とハウジング３，３０３のポート（吸込ポート９１、吐出ポート９２）とを精度よく接続することができるので、外部ユニット１９０とハウジング３，３０３との間のシール性を向上できる。
【００８８】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００８９】
１・・・モータ機構、３，３０３ハウジング、３ａ・・・モータ収容部、３ｂ・・・ポンプ収容部、４・・・回転軸、５・・・モータロータ（ロータ）、３０・・・ポンプ機構、９０ａ・・・取付面、９１・・・吸込ポート、９２・・・吐出ポート、１００・・・電動ベーンポンプ、１１０，２１０・・・ボルト、１３０・・・取付ボス（取付部）、１３０ａ・・・取付面、１３０ｍ・・・モータ側ボス（モータ側取付部）、１３０ｐ・・・ポンプ側ボス（ポンプ側取付部）、１９０・・・外部ユニット
【図１】
2019044677.tif 000003
【図２】
2019044677.tif 000004
【図３Ａ】
2019044677.tif 000005
【図３Ｂ】
2019044677.tif 000006
【図４】
2019044677.tif 000007
【図５Ａ】
2019044677.tif 000008
【図５Ｂ】
2019044677.tif 000009
【図６】
2019044677.tif 000010
【図７】
2019044677.tif 000011